(57)【特許請求の範囲】
【請求項１】
空気の給排気により膨張、収縮が可能な中空で平坦状に形成されたエアバッグ本体（２０）の両面に、環状の蛇腹部（２１）を互いに対向してそれぞれ形成し、それぞれの凹凸部がエアバッグ本体（２０）の収縮時に互いに沿うようにしたことを特徴とする施療用エアバッグ。
【請求項２】
前記両面の蛇腹部（２１）のそれぞれの凹凸部の間に、通気空間部（２２）を有したことを特徴とする請求項１記載の施療用エアバッグ。
【請求項３】
前記両面の蛇腹部（２１）の一面の凹凸部と他面の凹凸部の一方または両方の断面形状を連続した円弧形状としたことを特徴とする請求項１または２記載の施療用エアバッグ。
【請求項４】
前記両面の蛇腹部（２１）のうち、一面の凸部（２１ａ）と他面の凹部（２１ｂ）、一面の凹部（２１ｂ）と他面の凸部（２１ａ）をそれぞれ対向した位置に設け、一面の凸部（２１ａ）の内面側の形状と他面の凹部（２１ｂ）の内面側の形状、一面の凹部（２１ｂ）の内面側の形状と他面の凸部（２１ａ）の内面側の形状をそれぞれ同じ形状にしたことを特徴とする請求項１または２記載の施療用エアバッグ。
【請求項５】
前記両面の蛇腹部（２１）のうち、一面の凸部（２１ａ）と他面の凹部（２１ｂ）、一面の凹部（２１ｂ）と他面の凸部（２１ａ）をそれぞれ対向した位置に設け、一面の凸部（２１ａ）の内面側の形状と他面の凹部（２１ｂ）の内面側の形状、一面の凹部（２１ｂ）の内面側の形状と他面の凸部（２１ａ）の内面側の形状をそれぞれ異なる形状にしたことを特徴とする請求項１または２記載の施療用エアバッグ。
【請求項６】
請求項１から５の何れかに記載の施療用エアバッグを装着したことを特徴とするマッサージ機。
【発明の詳細な説明】
【技術分野】
【０００１】
この発明は、空気の給排気により膨張、収縮する施療用エアバッグ、及びこのエアバッグをマッサージユニットなどの適宜個所に装着したマッサージ機に関するものである。
【背景技術】
【０００２】
従来、椅子型マッサージ機などの施療機において、例えば図１０、１１に示したように、被施療者のふくらはぎをマッサージするふくらはぎ用マッサージユニット３０、および被施療者の足先をマッサージする足先用マッサージユニット４０からなる足用マッサージユニットを配備したものが存在する。
【０００３】
ふくらはぎ用マッサージユニット３０は、被施療者の左右のふくらはぎをそれぞれ挿入する断面コ字状のふくらはぎ用の凹状受部３２、３２を有している。凹状受部３２には、被施療者のふくらはぎを挿入したときに、ふくらはぎ（脛側）の傾斜に合わせて傾けて形成された環状の蛇腹部３９を有するふくらはぎ用側面エアバッグ３６が装着されている。
【０００４】
足先用マッサージユニット４０は、被施療者の左右の足先をそれぞれ挿入する断面コ字状の足先用の凹状受部４２、４２を有している。凹状受部４２には、被施療者の足先を挿入したときに、足先（足の甲部分）の傾斜に合わせて傾けて形成された環状の蛇腹部４９を有する足先用側面エアバッグ４６が装着されている。
【０００５】
このように構成された足用マッサージユニットにおいて、ふくらはぎ用側面エアバッグ３６の蛇腹部３９および足先用側面エアバッグ４６の蛇腹部４９は、それぞれのエアバッグの片面に形成してもよいが、マッサージ効果を高めるには、図１３、１４に示したように、ふくらはぎ用側面エアバッグ３６、足先用側面エアバッグ４６のそれぞれの両面に形成することが望ましいとしている（特許文献１）。
【０００６】
そして、このように構成された足用マッサージユニットによれば、側面エアバッグが膨張したときに、蛇腹部が被施療者のふくらはぎまたは足先に沿って膨張するため、側面エアバッグの面圧が、ふくらはぎや足先に均等に加わる。したがって、ふくらはぎまたは足先に均等なマッサージを施すことができるとしている。
【特許文献１】特開２００４−２３６９２２号公報（第３〜５頁、図４〜６）
【発明の開示】
【発明が解決しようとする課題】
【０００７】
ところで、上記従来の足用マッサージユニットは、椅子型マッサージ機の被施療者が腰掛ける座部の前端に取り付けられている。そして、ふくらはぎ用マッサージユニット３０は、前記座部に傾動可能且つ位置決め可能に取り付けられ、足先用マッサージユニット４０は、ふくらはぎ用マッサージユニット３０に傾動可能且つ位置決め可能に取り付けられている。また、前記したように、ふくらはぎ用マッサージユニット３０の凹状受部３２、３２には、被施療者の左右のふくらはぎがそれぞれ挿入され、足先用マッサージユニット４０の凹状受部４２、４２には、被施療者の左右の足先がそれぞれ挿入される。
【０００８】
そのため、ふくらはぎ用マッサージユニット３０や足先用マッサージユニット４０は、前記凹状受部３２、３２および凹状受部４２、４２の容積が大きく取れ、しかもそれらマッサージユニット自体が大型にならないものにするのが、被施療者のふくらはぎや足先が挿入し易く、また傾動や位置決めの操作がスムーズに行えるので、好ましいといえる。
【０００９】
しかしながら、上記従来の足用マッサージユニットにおいて、ふくらはぎ用側面エアバッグ３６の蛇腹部３９や足先用側面エアバッグ４６の蛇腹部４９を、それぞれのエアバッグの両面に形成した場合には、図１３に示したように、蛇腹部３９、蛇腹部４９のそれぞれの凸部５０ａおよび凹部５０ｂがそれぞれ対向した位置に、一定の間隔をおいて形成されているため、それぞれのエアバッグの収縮時にエアバッグがそれほど平坦にならず嵩張るので、前記凹状受部３２、３２および凹状受部４２、４２の容積を大きく取れないという問題点を有し、またこれらの容積を大きく取ると、マッサージユニット自体が大型化するという問題点を有していた。
【００１０】
そこで、この発明は、上記従来の問題点を解決することをその課題としており、足用マッサージユニットのふくらはぎの凹状受部や足先の凹状受部など、マッサージ機のマッサージユニットなどの何れの個所に装着しても、エアバッグの収縮時に非常に平坦になり嵩張ることなく、その装着個所にコンパクトな状態で装着することができ、その装着個所が大型化しないようにした施療用エアバッグおよびこの施療用エアバッグを装着したマッサージ機を提供することを目的としてなされたものである。
【課題を解決するための手段】
【００１１】
そのため、この発明の施療用エアバッグは、空気の給排気により膨張、収縮が可能な中空で平坦状に形成されたエアバッグ本体２０の両面に、環状の蛇腹部２１を互いに対向してそれぞれ形成し、それぞれの凹凸部がエアバッグ本体２０の収縮時に互いに沿うようにしている。
【００１２】
そして、この発明の施療用エアバッグは、前記両面の蛇腹部２１のそれぞれの凹凸部の間に、通気空間部２２を有したものとしている。
【００１３】
さらに、この発明の施療用エアバッグは、前記両面の蛇腹部２１の一面の凹凸部と他面の凹凸部の一方または両方の断面形状を連続した円弧形状としている。
【００１４】
また、この発明の施療用エアバッグは、前記両面の蛇腹部２１のうち、一面の凸部２１ａと他面の凹部２１ｂ、一面の凹部２１ｂと他面の凸部２１ａをそれぞれ対向した位置に設け、一面の凸部２１ａの内面側の形状と他面の凹部２１ｂの内面側の形状、一面の凹部２１ｂの内面側の形状と他面の凸部２１ａの内面側の形状をそれぞれ同じ形状にしている。
【００１５】
さらにまた、この発明の施療用エアバッグは、前記両面の蛇腹部２１のうち、一面の凸部２１ａと他面の凹部２１ｂ、一面の凹部２１ｂと他面の凸部２１ａをそれぞれ対向した位置に設け、一面の凸部２１ａの内面側の形状と他面の凹部２１ｂの内面側の形状、一面の凹部２１ｂの内面側の形状と他面の凸部２１ａの内面側の形状をそれぞれ異なる形状にしている。
【００１６】
そして、この発明のマッサージ機は、前記何れかの施療用エアバッグを装着したものとしている。
【発明の効果】
【００１７】
この発明は、以上に述べたように構成されているので、マッサージ機のマッサージユニットなどの何れの個所に装着しても、嵩張ることなく、その装着個所が大型化しないようにした施療用エアバッグが提供でき、またこの施療用エアバッグをコンパクトな状態で装着したマッサージ機を提供することができる。
【発明を実施するための最良の形態】
【００１８】
以下、この発明の施療用エアバッグおよびこのエアバッグを装着したマッサージ機を実施するための最良の形態について、図面に基づいて詳細に説明する。
【００１９】
図１は、この発明のマッサージ機を椅子型マッサージ機とした実施形態を示しており、被施療者の肩、背中、腰などの接触部となる背もたれ１と、被施療者の尻、太股の接触部となる座部２が備えられている。背もたれ１は、座部２の後端に傾斜角度を調整自在として備えたものとしているが、座部２の後端に固定して備えたものとしてもよい。座部２には、前端に足載せ台３が備えられ、両側部に肘掛け４が備えられている。
【００２０】
前記背もたれ１は、図２に示したように、内部に上下にかけて配設したレール５に沿って上下動し、揉みや叩きなどのマッサージを施すようにした一対の施療子６を突設している。この施療子６は、背もたれ１の外部に露出したものとしても、背もたれ１の全体に張られるカバーなどで覆われたものとしてもよい。そして、背もたれ１には、前面部の中位に背中用マッサージユニット７を配備している。この背中用マッサージユニット７は、前記レール５の左右に位置するようにして、被施療者の背中に押圧感を与えてマッサージを施すようにした複数個の施療用エアバッグ８ａを装着したものとしている。さらに、背もたれ１には、前面部の下位に腰用マッサージユニット９を配備している。この腰用マッサージユニット９は、前記レール５の左右に位置するようにして、被施療者の背中に押圧感を与えてマッサージを施すようにした複数個の施療用エアバッグ８ｂを装着したものとしている。また、背もたれ１には、両側部に突設した腕当て部１ａに腕用マッサージユニット１０を配備している。この腕用マッサージユニット１０は、被施療者の腕に押圧感を与えてマッサージを施すようにした複数個の施療用エアバッグ８ｃを装着したものとしている。これらのエアバッグ８ａ、８ｂ、８ｃは、前記施療子６と同様、背もたれ１の外部に露出したものとしても、背もたれ１の全体に張られるカバーなどで覆われたものとしてもよい。
【００２１】
前記座部２には、座面部に尻、太股用マッサージユニット１１を配備している。この尻、太股用マッサージユニット１１は、被施療者の尻、太股に押圧感を与えてマッサージを施すようにした複数個の施療用エアバッグ８ｄを装着したものとしている。これらのエアバッグ８ｄは、座部２の外部に露出したものとしても、座部２の全体に張られるカバーなどで覆われたものとしてもよい。
【００２２】
前記足載せ台３には、ふくらはぎ用マッサージユニット１２および足先用マッサージユニット１３を配備している。ふくらはぎ用マッサージユニット１２は、前記座部２の前端に傾動可能で位置決め可能に取り付けられ、足先用マッサージユニット１３は、このふくらはぎ用マッサージユニット１２に傾動可能で位置決め可能に取り付けられている。ふくらはぎ用マッサージユニット１２は、被施療者の左右のふくらはぎをそれぞれ挿入する断面略コ字状のふくらはぎ用の凹状受部１４、１４を有している。凹状受部１４には、その両側面に、ふくらはぎに押圧感を与えてマッサージを施すようにした複数個の施療用エアバッグ８ｅを装着したものとしている。足先用マッサージユニット１３は、被施療者の左右の足先をそれぞれ挿入する断面略コ字状の足先用の凹状受部１５、１５を有している。凹状受部１５には、その両側面に、足先に押圧感を与えてマッサージを施すようにした複数個の施療用エアバッグ８ｆを装着したものとしている。これらのエアバッグ８ｅ、８ｆは、凹状受部１４、１５の外部に露出したものとしても、これら凹状受部１４、１５に張られるカバーなどで覆われたものとしてもよい。
【００２３】
前記エアバッグ８ａ、８ｂ、８ｃ、８ｄ、８ｅ、８ｆは、座部２の下方に配備された給排気装置１６からの空気の給排気により、同時または各別に膨張、収縮したり、膨張した状態を保持するようにしており、背中、腰、腕、尻、太股、ふくらはぎ、足先などの身体の各個所に押圧感を与えてマッサージを施すようにしている。これらのエアバッグ８ａ、８ｂ、８ｃ、８ｄ、８ｅ、８ｆは、図３〜８に示したように、内部が中空で平坦略四角形状に形成されたエアバッグ本体２０の両面に、環状の蛇腹部２１を互いに対向してそれぞれ形成している。このエアバッグ本体２０は、例えば、ブロー成形によったり、二枚のシートを溶着したりして作製され、前記給排気装置１６からの空気の給排口２０ａが設けられ、前記マッサージの背もたれ１、座部２、足載せ台３などの適宜個所に取り付けておくための取付板２０ｂが設けられている。
【００２４】
前記エアバッグ本体２０の両面に形成した環状の蛇腹部２１は、図４に示したように、それぞれの凹凸部がエアバッグ本体２０の収縮時に互いに沿うようにしている。さらに、前記蛇腹部２１は、図５、６に示したものでは、それぞれの凹凸部がエアバッグ本体２２の収縮時に、通気空間部２２を有して互いに沿うようにしている。この通気空間部２２は、給排気装置１６からの空気の給排気をスムーズに行うようにするためのものである。
【００２５】
前記エアバッグ本体２０の蛇腹部２１の一面の凹凸部と他面の凹凸部の一方または両方の断面形状は、連続した円弧形状としている。前記両面の凹凸部のうち一方を連続した円弧形状とした場合は、他方を後に述べるような連続した波形状、ジクザグ形状などとすることができる。図４、５に示したものでは、前記蛇腹部２１の凹凸部の断面形状は、両面とも連続した円弧形状としている。この場合、前記蛇腹部２１の一面の凸部２１ａと他面の凹部２１ｂ、蛇腹部２１の一面の凹部２１ｂと他面の凸部２１ａをそれぞれ対向した位置に設け、蛇腹部２１の一面の凸部２１ａの内面側の形状と他面の凹部２１ｂの内面側の形状、蛇腹部２１の一面の凹部２１ｂの内面側の形状と他面の凸部２１ａの内面側の形状をそれぞれ同じ形状とし、それぞれの凹凸部がエアバッグ本体２０の収縮時に、通気空間部２２を有したり、通気空間部２２を有さないようにして互いに沿うようにしている。
【００２６】
図６に示したものでは、前記蛇腹部２１の一面の凸部２１ａと他面の凹部２１ｂ、蛇腹部２１の一面の凹部２１ｂと他面の凸部２１ａをそれぞれ対向した位置に設け、蛇腹部２１の一面の凸部２１ａの内面側の形状と他面の凹部２１ｂの内面側の形状、蛇腹部２１の一面の凹部２１ｂの内面側の形状と他面の凸部２１ａの内面側の形状をそれぞれ異なる形状とし、それぞれの凹凸部がエアバッグ本体２０の収縮時に、通気空間部２２を有して互いに沿うようにしている。
【００２７】
また、前記エアバッグ本体２０の蛇腹部２１の一面の凹凸部と他面の凹凸部の一方または両方の断面形状は、連続した波形状とすることができる。前記両面の凹凸部のうち一方を連続した波形状とした場合は、他方を先に述べたような連続した円弧形状、後に述べるようなジクザグ形状などとすることができる。図７に示したものでは、前記蛇腹部２１の凹凸部の断面形状は、両面とも連続した波形状としている。この場合も、前記蛇腹部２１の一面の凸部２１ａと他面の凹部２１ｂ、蛇腹部２１の一面の凹部２１ｂと他面の凸部２１ａをそれぞれ対向した位置に設け、蛇腹部２１の一面の凸部２１ａの内面側の形状と他面の凹部２１ｂの内面側の形状、蛇腹部２１の一面の凹部２１ｂの内面側の形状と他面の凸部２１ａの内面側の形状をそれぞれ異なる形状として、それぞれの凹凸部がエアバッグ本体２０の収縮時に互いに沿うようにしている。図示したものでは、前記内面側の形状をそれぞれ異なる形状としたが、それぞれ同じ形状として、それぞれの凹凸部がエアバッグ本体２０の収縮時に、通気空間部２２を有したり、通気空間部２２を有さないようにして互いに沿うようにしてもよい。
【００２８】
さらに、図示していないが、前記エアバッグ本体２０の蛇腹部２１の一面の凹凸部と他面の凹凸部の一方または両方の断面形状は、ジグザグ形状としてもよい。前記両面の凹凸部のうち一方をジグザグ形状とした場合は、他方を先に述べたような連続した円弧形状、連続した波形状などとすることができる。この場合も、前記蛇腹部２１の一面の凸部２１ａと他面の凹部２１ｂ、蛇腹部２１の一面の凹部２１ｂと他面の凸部２１ａをそれぞれ対向した位置に設け、蛇腹部２１の一面の凸部２１ａの内面側の形状と他面の凹部２１ｂの内面側の形状、蛇腹部２１の一面の凹部２１ｂの内面側の形状と他面の凸部２１ａの内面側の形状を同じ形状にしたり、異なる形状として、それぞれの凹凸部がエアバッグ本体２０の収縮時に、通気空間部２２を有したり、通気空間部２２を有さないようにして互いに沿うようにすることができる。
【００２９】
また、前記エアバッグ本体２０の蛇腹部２１の一面の凹凸部と他面の凹凸部の一方または両方の断面形状は、連続した円弧形状とし、それぞれの外側から内側にかけて次第に円弧を大きくしたり、小さくすることができる。前記両面の凹凸部のうち一方を連続した円弧形状とした場合は、他方を連続した波形状、ジグザク形状などとすることができる。図８に示したものでは、前記蛇腹部２１の凹凸部の断面形状は、両面とも連続した円弧形状とし、それぞれの外側から内側にかけて次第に円弧を大きくしている。この場合も、前記蛇腹部２１の一面の凸部２１ａと他面の凹部２１ｂ、蛇腹部２１の一面の凹部２１ｂと他面の凸部２１ａをそれぞれ対向した位置に設け、蛇腹部２１の一面の凸部２１ａの内面側の形状と他面の凹部２１ｂの内面側の形状、蛇腹部２１の一面の凹部２１ｂの内面側の形状と他面の凸部２１ａの内面側の形状をそれぞれ同じ形状または異なる形状とし、それぞれの凹凸部がエアバッグ本体２０の収縮時に、通気空間部２２を有したり、通気空間部２２を有さないようにして互いに沿うようにしている。図８に示したものでは、前記蛇腹部２１の凹凸部のそれぞれの内面側の形状を異なる形状とし、それぞれの凹凸部がエアバッグ本体２０の収縮時に互いに沿うようにしている。
【００３０】
さらに、図示していないが、前記エアバッグ本体２０の蛇腹部２１の一面の凹凸部と他面の凹凸部の一方または両方の断面形状を、連続した波形状またはジグザグ形状とした場合も、それぞれの内側から外側にかけて次第に波またはジグザグを大きくしたり、小さくすることができる。前記両面の凹凸部のうち一方を連続した波形状とした場合は、他方を連続した円弧形状、ジグザク形状などとすることができる。また、前記両面の凹凸部のうち一方をジグザグ形状とした場合は、他方を連続した円弧形状、連続した波形状などとすることができる。この場合も、前記蛇腹部２１の一面の凸部２１ａと他面の凹部２１ｂ、蛇腹部２１の一面の凹部２１ｂと他面の凸部２１ａをそれぞれ対向した位置に設け、蛇腹部２１の一面の凸部２１ａの内面側の形状と他面の凹部２１ｂの内面側の形状、蛇腹部２１の一面の凹部２１ｂの内面側の形状と他面の凸部２１ａの内面側の形状をそれぞれ同じ形状または異なる形状とし、それぞれの凹凸部がエアバッグ本体２０の収縮時に、通気空間部２２を有したり、通気空間部２２を有さないようにして互いに沿うようにすることもできる。
【００３１】
以上のように構成したこの発明の施療用エアバッグを装着したマッサージ機によれば、図２に示したように、被施療者が座部２に腰掛け、尻、太股をこの座部２の尻、太股用マッサージユニット１１に当接させ、背中を背もたれ１の背中用マッサージユニット７に当接させ、腰を背もたれ１の腰用マッサージユニット９に当接させ、腕を背もたれ１の腕用マッサージユニット１０に当接させ、ふくらはぎを足載せ台３のふくらはぎ用マッサージユニット１２に挿入し、足先を足載せ台３の足先用マッサージユニット１３に挿入した状態で、座部２の下方に配備された給排気装置１６からの空気の給排気により、前記エアバッグ８ａ、８ｂ、８ｃ、８ｄ、８ｅ、８ｆを、同時または各別に膨張、収縮させたり、膨張した状態を保持するようにすれば、背中、腰、腕、尻、太股、ふくらはぎ、足先などの身体の各個所に押圧感が与えられ、マッサージを施すことができる。
【００３２】
そして、前記背中用マッサージユニット７、腰用マッサージユニット９、腕用マッサージユニット１０、尻、太股用マッサージユニット１１、ふくらはぎ用マッサージユニット１２、足先用マッサージユニット１３に装着されたエアバッグ８ａ、８ｂ、８ｃ、８ｄ、８ｅ、８ｆは、エアバッグ本体２０の蛇腹部２１の一面の凹凸部と他面の凹凸部が、エアバッグ本体２０の収縮時に互いに沿うようにしているので、非常に平坦なものとなる。したがって、これらエアバッグ８ａ、８ｂ、８ｃ、８ｄ、８ｅ、８ｆは、前記マッサージユニットでの装着状態において、嵩張ることのないものとなり、これらマッサージユニットが大型化しないようにすることができる。
【００３３】
なお、この発明の施療用エアバッグは、前記実施形態で説明した椅子型マッサージ機に限らず、ベッド型マッサージ機や携帯型マッサージ機、その他各種のマッサージ機に装着することができ、装着個所も前記実施形態で説明した個所に限らず、そのマッサージ機の適宜個所に配備されたマッサージユニットなどに装着することができるのはいうまでもない。
【図面の簡単な説明】
【００３４】
【図１】この発明のマッサージ機の一実施形態を示す斜視図である。
【図２】図１に示すこの発明のマッサージ機の使用状態を示す側面図である。
【図３】この発明の施療用エアバッグの一実施形態を示す斜視図である。
【図４】この発明の施療用エアバッグの一実施形態を示す部分断面図である。
【図５】この発明の施療用エアバッグの他の実施形態を示す部分断面図である。
【図６】この発明の施療用エアバッグのさらに他の実施形態を示す部分断面図である。
【図７】この発明の施療用エアバッグのさらに他の実施形態を示す部分断面図である。
【図８】この発明の施療用エアバッグのさらに他の実施形態を示す部分断面図である。
【図９】この発明の施療用エアバッグの膨張状態を示す断面説明図である。
【図１０】従来の施療用エアバッグを備えたマッサージ機を示す斜視図である。
【図１１】従来の施療用エアバッグのマッサージ機への装着状態を示す説明図である。
【図１２】従来の施療用エアバッグの一例を示す平面図である。
【図１３】図１２に示す従来の施療用エアバッグの断面図である。
【図１４】図１２に示す従来の施療用エアバッグの側面面である。
【符号の説明】
【００３５】
２０  エアバッグ本体
２１  蛇腹部
２１ａ  凸部
２１ｂ  凹部
２２  通気空間
【図１】
0004771206.tif 000002
【図２】
0004771206.tif 000003
【図３】
0004771206.tif 000004
【図４】
0004771206.tif 000005
【図５】
0004771206.tif 000006
【図６】
0004771206.tif 000007
【図７】
0004771206.tif 000008
【図８】
0004771206.tif 000009
【図９】
0004771206.tif 000010
【図１０】
0004771206.tif 000011
【図１１】
0004771206.tif 000012
【図１２】
0004771206.tif 000013
【図１３】
0004771206.tif 000014
【図１４】
0004771206.tif 000015